(57)【要約】【課題】騒音に関する聴衆の理解度を高めることができる騒音の表示システムと表示方法、及び、その表示を行うためのプログラムを提供する。【解決手段】騒音源から周辺地域への騒音の伝わり方をシミュレーションして聴衆にプレゼンテーションを行う際に使用する騒音の表示システム１。プレゼンテーションソフトウェアがインストールされたコンピュータ２と、前記ソフトウェアが生成する画像を表示する表示装置３と、前記画像に付随して前記ソフトウェアが生成する音響を出力する音響出力装置４とを備えている。前記ソフトウェアは、時間の経過に伴って拡大する騒音の進行領域を表示装置３に時系列に表示させるとともに、その進行領域が周辺地域内に予め設定した設定地点に到達した時に当該設定地点での実際の騒音を音響出力装置４に出力させる。【選択図】図１
2008170600.tif 000002
【特許請求の範囲】
【請求項１】
騒音源から周辺地域への騒音の伝わり方をシミュレーションして聴衆にプレゼンテーションを行う際に使用する騒音の表示システムであって、
プレゼンテーションソフトウェアがインストールされたコンピュータと、
前記ソフトウェアが生成する画像を表示する表示装置と、
前記画像に付随して前記ソフトウェアが生成する音響を出力する音響出力装置とを備えており、
前記ソフトウェアは、時間の経過に伴って拡大する前記騒音の進行領域を前記表示装置に時系列に表示させるとともに、その進行領域が前記周辺地域内に予め設定した設定地点に到達した時に当該設定地点での実際の騒音を前記音響出力装置に出力させることを特徴とする騒音の表示システム。
【請求項２】
前記騒音の進行領域は、前記周辺地域内の騒音分布の等レベル領域よりなる請求項１に記載の騒音の表示システム。
【請求項３】
前記等レベル領域は、隣接する他の等レベル領域と識別可能となるように色分けされている請求項２に記載の騒音の表示システム。
【請求項４】
前記ソフトウェアは、前記設定地点での実際の騒音を前記音響出力装置に出力させるためのＧＵＩ操作可能なアイコンを前記表示装置に表示させる請求項１〜３のいずれか１項に記載の騒音の表示システム。
【請求項５】
前記騒音源はトンネル坑口である請求項１〜４のいずれか１項に記載の騒音の表示システム。
【請求項６】
前記表示装置は、前記コンピュータに接続されたプロジェクタと、このプロジェクタによる映写画像を表示するスクリーンとから構成されている請求項１〜５のいずれか１項に記載の騒音の表示システム。
【請求項７】
前記音響出力装置は、前記設定地点での実際の騒音と同様の低周波音を出力可能なウーハースピーカを備えている請求項１〜６のいずれか１項に記載の騒音の表示システム。
【請求項８】
騒音源から周辺地域への騒音の伝わり方をシミュレーションして聴衆にプレゼンテーションを行う騒音の表示方法であって、
時間の経過に伴って拡大する前記騒音の進行領域を表示装置に時系列に表示させるとともに、その進行領域が前記周辺地域内に予め設定した設定地点に到達した時に当該設定地点での実際の騒音を音響出力装置に出力させることを特徴とする騒音の表示方法。
【請求項９】
騒音源から周辺地域への騒音の伝わり方をシミュレーションして聴衆にプレゼンテーションを行う際に使用するプレゼンテーションソフトウェアよりなる、騒音の表示を行うためのプログラムであって、
時間の経過に伴って拡大する前記騒音の進行領域を表示装置に時系列に表示させるステップと、
その進行領域が前記周辺地域内に予め設定した設定地点に到達した時に当該設定地点での実際の騒音を音響出力装置に出力させるステップとを、前記表示装置及び前記音響出力装置を制御するコンピュータに実行させることを特徴とするプログラム。
【発明の詳細な説明】
【技術分野】
【０００１】
本発明は、聴衆に対して騒音に関するプレゼンテーションを行う際に使用する騒音の表示システムと表示方法、及び、その表示を行うためのプログラムに関するものである。
【背景技術】
【０００２】
例えば、トンネル工事において掘削に発破を使用する場合、発破により発生する騒音（発破騒音）が近隣集落で大きな問題となる。そのため、工事発注者やコンサルタント会社が、地域住民等に対して事前にプレゼンテーションを行い、トンネル工事において坑口から発生する騒音の大きさや、その防音対策等が説明される。
【発明の開示】
【発明が解決しようとする課題】
【０００３】
上記プレゼンテーションの際には、通常、例えば図１９に示されるような地形図に坑口の位置と検討地点と騒音の大きさが数字で記載されたものが資料として配布される。
しかし、そのような資料では、騒音の大きさが数字で表示されているだけなので、普段トンネル発破による騒音を聞き慣れていない聴衆には音の大きさを実感することが難しく、十分に理解してもらえない場合があった。
【０００４】
そこで、本発明は、騒音に関する聴衆の理解度を高めることができる騒音の表示システムと表示方法、及び、その表示を行うためのプログラムを提供することを目的とする。
【課題を解決するための手段】
【０００５】
本発明は、騒音源から周辺地域への騒音の伝わり方をシミュレーションして聴衆にプレゼンテーションを行う際に使用する騒音の表示システムであって、プレゼンテーションソフトウェアがインストールされたコンピュータと、前記ソフトウェアが生成する画像を表示する表示装置と、前記画像に付随して前記ソフトウェアが生成する音響を出力する音響出力装置とを備えており、前記ソフトウェアは、時間の経過に伴って拡大する前記騒音の進行領域を前記表示装置に時系列に表示させるとともに、その進行領域が前記周辺地域内に予め設定した設定地点に到達した時に当該設定地点での実際の騒音を前記音響出力装置に出力させることを特徴とする。
【０００６】
本発明によれば、時間の経過に伴って拡大する騒音の進行領域が表示装置に時系列に表示されるので、聴衆が騒音の伝わり方を視覚を通じて正確に認識できる。また、進行領域が周辺地域内に予め設定した設定地点に到達した時に、当該設定地点での実際の騒音を音響出力装置が出力するので、聴衆が実際の騒音を実体験することができる。
このように、本発明によれば、進行領域の拡大によって聴衆が騒音の伝わり方を視覚で認識できるとともに、騒音の伝わり方を視覚で示す騒音の進行領域に連動して、聴衆が騒音を実体験できるので、騒音に関する聴衆の理解度を高めることができる。
【０００７】
本発明において、前記騒音の進行領域は、プレゼンテーションソフトウェアがアニメーション等の動画機能を有している場合には、時間の経過に伴って拡大する動画によって表現することができる。
また、上記騒音の進行領域は、前記周辺地域内の騒音分布が得られている場合には、その騒音分布の等レベル領域によって構成することができる。この場合、複数の等レベル領域を時間の経過に伴って順次表示装置に表示させることで、どの程度の音響レベルが何処の設定地点に到達するかを視覚で認識することができ、騒音に関する聴衆の理解度をより高めることができる。
【０００８】
なお、上記等レベル領域を、隣接する他の等レベル領域と識別可能となるように色分けしておくことにより、各等レベル領域での音響レベルの高低を色分けによって即座に判断することができ、騒音に関する聴衆の理解度をより高めることができる。
また、本発明において、前記ソフトウェアは、前記設定地点での実際の騒音を前記音響出力装置に出力させるためのＧＵＩ操作可能なアイコンを前記表示装置に表示させるものであってもよい。
【０００９】
この場合、上記アイコンをＧＵＩ（例えば、マウス）で操作することによっても、設定地点での実際の騒音を音響出力装置に出力させることができるようになる。このため、進行領域の表示の終了後においても、別途ＧＵＩによる操作で実際の騒音を聴衆に再度聞かせることができ、プレゼンテーションの場において、実際の騒音の実体を聴衆に再確認させるのが容易になる。
【００１０】
本発明の表示システムは、聴衆に騒音を実体験させることを特徴とするから、実際の騒音源は特に限定されないが、後述する実施形態に示す通り、騒音源がトンネル坑口である場合に特に好適に使用することができる。
その理由は、山岳でのトンネル工事は、切羽を発破して進行する工事であり、かかる発破のような単発的でかつ大音響レベルの騒音の場合には、時間の経過に伴って拡大する進行領域によってその伝搬を表現し易いからである。
【００１１】
本発明の表示システムにおいて、前記表示装置としては、例えば、前記コンピュータに接続されたプロジェクタと、このプロジェクタによる映写画像を表示するスクリーンとから構成することができる。この場合、プロジェクタ及びスクリーンで聴衆に大画面で騒音の進行領域を表示することができ、効果的なプレゼンテーションが行える。
また、実際の騒音をよりリアルに表現するには、前記音響出力装置として、前記設定地点での実際の騒音と同様の低周波音を出力可能なウーハースピーカを備えたものを採用することが好ましい。
【発明の効果】
【００１２】
以上の通り、本発明によれば、進行領域の拡大によって聴衆が騒音の伝わり方を視覚で認識でき、その進行領域に連動して聴衆が騒音を実体験できるので、騒音に関する聴衆の理解度を高めることができ、より効果的なプレゼンテーションが可能となる。
【発明を実施するための最良の形態】
【００１３】
以下に、本発明の実施の形態を図面を参照しつつ説明する。ここでは、騒音源が、トンネルの内部で発破作業が行われているトンネル坑口（以下、単に坑口という場合もある）であり、このトンネル坑口から周辺地域へ伝わる騒音が発破騒音である場合について説明する。
図１は、本発明の実施形態に係る騒音の表示システム１の全体構成を示している。
騒音の表示システム１は、騒音源から周辺地域への騒音の伝わり方をシミュレーションして聴衆にプレゼンテーションを行う際に使用するものであって、コンピュータ２と、表示装置３と、音響出力装置４とを備えている。
【００１４】
コンピュータ２には、プレゼンテーションソフトウェア（以下、単にソフトウェアという場合もある）がインストールされている。
表示装置３は、前記ソフトウェアが生成する画像を表示するものであって、コンピュータ２に接続されたプロジェクタ５と、このプロジェクタ５による映写画像を表示するスクリーン６とから構成されている。プロジェクタ５及びスクリーン６を用いることで聴衆に大画面で騒音の進行領域を表示することができ、効果的なプレゼンテーションが行える。
音響出力装置４は、前記画像に付随して前記ソフトウェアが生成する音響を出力するためのものであって、アンプ７、スピーカ８及びウーハースピーカ９を備えている。ウーハースピーカ９を備えることにより、設定地点での実際の騒音と同様の低周波音を出力することが可能となる。
【００１５】
コンピュータ２にインストールされているソフトウェアは、時間の経過に伴って拡大する前記騒音の進行領域を表示装置３に時系列に表示させるとともに、その進行領域が前記周辺地域内に予め設定した設定地点に到達した時に当該設定地点での実際の騒音を音響出力装置４に出力させるものである。ここではプレゼンテーションソフトウェアとして、マイクロソフトパワーポイント（登録商標）を使用している。
【００１６】
ここで、前記騒音の進行領域は、周辺地域内の騒音分布の等レベル領域によって構成されている。当該周辺地域内の騒音分布は、市販されている騒音分布作成ソフトウェアであるドイツＢｒａｕｎｓｔｅｉｎ＋Ｂｅｒｎｄｔ社のＳｏｕｎｄＰＬＡＮ（登録商標）により予め作成されたものである。等レベル領域は、５ｄＢの範囲の騒音領域を１つの等レベル領域とし、隣接する他の等レベル領域と識別可能となるように色分けされており、１２０ｄＢ以上の等レベル領域は濃紺で、１００ｄＢ以上１０５ｄＢ未満の等レベル領域は赤色で、５０ｄＢ以上５５ｄＢ未満の等レベル領域は緑色で着色されている。このように、騒音の進行領域を騒音の等レベル領域で構成すれば、どの程度の音響レベルが何処の設定地点に到達するかを視覚で認識することができ、さらに等レベル領域を、隣接する他の等レベル領域と識別可能となるように色分けしておくことにより、各等レベル領域での音響レベルの高低を色分けによって即座に判断することができるので、騒音に関する聴衆の理解度をより高めることができる。
【００１７】
そして、マイクロソフトパワーポイント（登録商標）よりなる、騒音の表示を行うためのプログラムであって、以下の第１ステップ及び第２ステップを、前記表示装置３及び前記音響出力装置４を制御するコンピュータ２に実行させる。
第１ステップは、時間の経過に伴って拡大する前記騒音の進行領域を表示装置３に時系列に表示させるステップである。このステップにおいて、先に得られた騒音分布の複数の等レベル領域を騒音の大きい順番に時間の経過に伴って順次表示させるようにする。
第２ステップは、その進行領域が前記周辺地域内に予め設定した設定地点に到達した時に当該設定地点での実際の騒音を音響出力装置４に出力させるステップである。このステップにおいて、設定地点での騒音が含まれる等レベル領域が表示されるときに音響出力装置４に出力させるようにする。
これにより、表示装置３のスクリーン６に、騒音の進行領域が時間の経過に伴って拡大するように表示されるとともに、その進行領域が設定地点に到達した時に当該設定地点での実際の騒音を聞くことができる。
【００１８】
また、上記ソフトウェアであるマイクロソフトパワーポイント（登録商標）は、設定地点での実際の騒音を音響出力装置４に出力させるためのＧＵＩ操作可能なアイコンｉ１，ｉ２及びｉ３（図３参照）を表示装置３に表示させる。例えば図３に示すように、アイコンｉ１，ｉ２及びｉ３をそれぞれ設定地点であるＡ地点、Ｂ地点及びＣ地点の近傍に配置しておき、Ａ地点の騒音が聞きたい場合には、ＧＵＩであるマウスでポインタをＡ地点のアイコンｉ１まで移動させてクリックすることにより、Ａ地点での騒音（７９ｄＢ）が音響出力装置４から出力される。
このように、アイコンｉ１，ｉ２及びｉ３をＧＵＩ（例えば、マウス）で操作することによっても、設定地点での実際の騒音を音響出力装置４に出力させることができるようになる。このため、進行領域の表示の終了後においても、別途ＧＵＩによる操作で実際の騒音を聴衆に再度聞かせることができ、プレゼンテーションの場において、実際の騒音の実体を聴衆に再確認させるのが容易になる。
【００１９】
このように、本発明によれば、進行領域の拡大によって聴衆が騒音の伝わり方を視覚で認識できるとともに、騒音の伝わり方を視覚で示す騒音の進行領域に連動して、聴衆が騒音を実体験できるので、騒音に関する聴衆の理解度を高めることができる。
また、騒音の表示システムと表示方法、及び、その表示を行うためのプログラムを用いれば、防音対策前及び対策後の騒音比較を聴衆に体感してもらうことが可能であるので、本発明を地域住民への説明、環境対策のアピール、広報活動等の用途に利用することもできる。
【００２０】
上記実施の形態においては、騒音源がトンネル坑口である場合について説明したが、騒音源はトンネル坑口に限定されず、騒音が発生するのであればどこでもよい。騒音は、上述の発破騒音に限定されるものではなく、それ以外の騒音、例えば、工事騒音、工場騒音も含まれる。このような騒音の騒音源として、例えば、トンネル工事におけるズリ処理場、ズリを工事区域外へ運び出すダンプトラック、橋梁工事が行われている橋梁、プラント設備、送風機、濁水処理施設、鍛冶場等を挙げることができる。
【実施例】
【００２１】
以下に、本発明を実施例によって具体的に説明する。
（実施例１）
騒音源（トンネル坑口）から周辺地域への騒音（発破騒音）の伝わり方を、マイクロソフトパワーポイント（登録商標）がインストールされたコンピュータ２、表示装置３（プロジェクタ５及びスクリーン６）、及び音響出力装置４（アンプ７、スピーカ８及びウーハースピーカ９）を用いて聴衆にプレゼンテーションを行う。
実際の騒音をよりリアルに表現するため、アンプ７としてＹＡＭＡＨＡ  Ｐ３５００Ｓ＝３５０Ｗ＋３５０Ｗ、スピーカ８としてＹＡＭＡＨＡ  Ｓ１１５Ｖ＝１０００Ｗ（５５Ｈｚ〜１６ｋＨｚ）を２基、及びウーハースピーカ９としてＹＡＭＡＨＡ  ＹＳＴ−ＳＷ８００＝８００Ｗ（１８Ｈｚ〜１６０Ｈｚ）を使用した。
【００２２】
最初に、トンネル坑口周辺の平面図から、トンネル坑口の付近にある民家、公共施設等の中から実際にどのくらいの騒音が聞こえるのかを検討する地点を数箇所設定する。ここでは、設定地点として（Ａ）坑口から１５３ｍの地点にある民家、（Ｂ）坑口から１５４ｍの地点にある民家、及び（Ｃ）坑口から２３３ｍの地点にある民家を選定した。各地点の地盤高及び坑口との角度はそれぞれ、Ａ地点が１７２ｍ、１５°であり、Ｂ地点が１７０ｍ、９°であり、Ｃ地点が１７０ｍ、２５°である。
次に、トンネルの計画地質縦断図から、騒音源（トンネル坑口）での騒音を予測する。支保パターンによって１発破に使用する火薬量が違うことから、パターンごとに坑口での騒音を検討し、その中で一番大きな値（１３１ｄＢ）を坑口での騒音の値として採用した。
【００２３】
そして、ＳｏｕｎｄＰＬＡＮ（登録商標）により、図２に示すような周辺地域内の騒音分布を得た。図２において、騒音の進行領域は、騒音分布の等レベル領域よりなっており、１２０ｄＢ以上の等レベル領域を黒色に着色し、隣接する１１５ｄＢ以上１２０ｄＢ未満の等レベル領域は黒色より若干薄くしている。このように等レベル領域の騒音値が５ｄＢ低くなるごとに徐々に色を薄くすることで隣接する他の等レベル領域と識別可能となるように色分けしている。また、Ａ地点で聞こえる騒音は７９ｄＢ、Ｂ地点は８１ｄＢ、Ｃ地点は６７ｄＢと計算された。
【００２４】
この騒音分布に、コンピュータ２にインストールされたマイクロソフトパワーポイント（登録商標）でアニメーションを設定した。詳細には、「アニメーションの設定」作業ウィンドウの「効果の追加」ボタンをクリックし、「開始効果の追加」画面で「アピール」を選択し、１２０ｄＢ以上の等レベル領域の動作開始を「クリック時」にする以外は動作タイミングを「直前の動作の後」に設定した。
そして、同じく設定地点（Ａ地点、Ｂ地点及びＣ地点）での実際の騒音が入ったファイルを挿入し、それぞれ騒音が含まれる等レベル領域について「効果のオプション」の「効果」タブで「サウンド」を選択した。
【００２５】
「スライドショー」メニューから「実行」をクリックして再生すると、スクリーン６に騒音が発生していない状態が表示され（図３）、そこでクリックするとコンピュータ２により前記プログラムが実行され、騒音の進行領域が時間の経過に伴って拡大していく様子がスクリーン６に時系列に表示された。それを図４〜図１７に示す。
【００２６】
図４には、１２０ｄＢ以上の等レベル領域（騒音の進行領域）が表示されており、図５には、騒音の進行領域として図４で示された１２０ｄＢ以上の等レベル領域と１１５ｄＢ以上１２０ｄＢ未満の等レベル領域とが表示されている。これにより、図５において、騒音の進行領域が１１５ｄＢ以上１２０ｄＢ未満の等レベル領域の分だけ拡大したことがわかる。同様に、図６においては騒音の進行領域が１１０ｄＢ以上１１５ｄＢ未満の等レベル領域の分だけ拡大した。このように、時間の経過に伴って（図面が先に進むにつれて）騒音の進行領域が等レベル領域１つ分ずつ拡大していくのがわかる。そして、図１２で騒音の進行領域（８０ｄＢ以上８５ｄＢ未満の等レベル領域）がＢ地点に到達し、この時にＢ地点での実際の騒音（８１ｄＢ）がスピーカ８及びウーハースピーカ９から出力された。図１３で騒音の進行領域（７５ｄＢ以上８０ｄＢ未満の等レベル領域）がＡ地点に到達し、この時にＡ地点での実際の騒音（７９ｄＢ）が出力された。さらに、図１５で騒音の進行領域（６５ｄＢ以上７０ｄＢ未満の等レベル領域）がＣ地点に到達し、この時にＣ地点での実際の騒音（６７ｄＢ）が出力された。そして、図１７において、検討した周辺地域全域に進行領域が拡大して表示が終了した。
【００２７】
また、図１７で、Ａ地点、Ｂ地点及びＣ地点近傍に配置されたサウンドアイコンのいずれかをマウスでクリックすれば、各設定地点の実際の騒音が出力される。これにより、プレゼンテーションの場において、実際の騒音の実態を聴衆に再確認させるのが容易になる。
【００２８】
（実施例２）
防音対策を行ったときの騒音の伝わり方についてプレゼンテーションを行った。坑口の前に、内部に砂を充填した１層式の防音壁を設けた以外は、実施例１と同じ条件にして検討した。
そして、コンピュータ２に実施例１と同じプログラムを実行させて、スクリーン６に表示させると、騒音の進行領域が時間の経過に伴って拡大していき、進行領域がＡ地点、Ｂ地点及びＣ地点に到達した時に、それぞれ５７ｄＢ、５９ｄＢ、４５ｄＢの騒音が出力された。最終的な騒音の進行領域を図１８に示す。
実施例１及び実施例２のようにプレゼンテーションを行えば、進行領域の拡大によって聴衆が騒音の伝わり方を視覚で認識できるとともに、騒音の伝わり方を視覚で示す騒音の進行領域に連動して、聴衆が騒音を実体験できるので、騒音に関する聴衆の理解度を高めることができる。
また、実施例１と実施例２とを比較させながらプレゼンテーションを行うことにより、防音壁を設置することによる騒音の伝わり方の違い、及び設定地点で聞こえる騒音の違い等を視覚及び聴覚で実感してもらうことができるので、聴衆に防音壁の防音効果を強くアピールすることが可能となる。
【図面の簡単な説明】
【００２９】
【図１】本発明の実施形態に係る騒音の表示システムの全体構成を示す説明図である。
【図２】実施例１における周辺地域内の騒音分布を示す図である。
【図３】表示装置により表示される、騒音が発生していない状態を示す図である。
【図４】図３の後に表示装置により表示される騒音の進行領域を示す図である。
【図５】図４の後に表示装置により表示される騒音の進行領域を示す図である。
【図６】図５の後に表示装置により表示される騒音の進行領域を示す図である。
【図７】図６の後に表示装置により表示される騒音の進行領域を示す図である。
【図８】図７の後に表示装置により表示される騒音の進行領域を示す図である。
【図９】図８の後に表示装置により表示される騒音の進行領域を示す図である。
【図１０】図９の後に表示装置により表示される騒音の進行領域を示す図である。
【図１１】図１０の後に表示装置により表示される騒音の進行領域を示す図である。
【図１２】図１１の後に表示装置により表示される騒音の進行領域を示す図である。
【図１３】図１２の後に表示装置により表示される騒音の進行領域を示す図である。
【図１４】図１３の後に表示装置により表示される騒音の進行領域を示す図である。
【図１５】図１４の後に表示装置により表示される騒音の進行領域を示す図である。
【図１６】図１５の後に表示装置により表示される騒音の進行領域を示す図である。
【図１７】図１６の後に表示装置により表示される騒音の進行領域を示す図である。
【図１８】表示装置により表示される、実施例２の最終的な騒音の進行領域を示す図である。
【図１９】従来のプレゼンテーションで配布される資料の一例である。
【符号の説明】
【００３０】
１    騒音の表示システム
２    コンピュータ
３    表示装置
４    音響出力装置
５    プロジェクタ
６    スクリーン
７    アンプ
８    スピーカ
９    ウーハースピーカ
【図１】
2008170600.tif 000003
【図２】
2008170600.tif 000004
【図３】
2008170600.tif 000005
【図４】
2008170600.tif 000006
【図５】
2008170600.tif 000007
【図６】
2008170600.tif 000008
【図７】
2008170600.tif 000009
【図８】
2008170600.tif 000010
【図９】
2008170600.tif 000011
【図１０】
2008170600.tif 000012
【図１１】
2008170600.tif 000013
【図１２】
2008170600.tif 000014
【図１３】
2008170600.tif 000015
【図１４】
2008170600.tif 000016
【図１５】
2008170600.tif 000017
【図１６】
2008170600.tif 000018
【図１７】
2008170600.tif 000019
【図１８】
2008170600.tif 000020
【図１９】
2008170600.tif 000021